(57)【要約】      （修正有）【課題】視認性を確保しつつ、着心地を向上させた衣服を提供する。【解決手段】衣服１００は、身頃１１０を有する。身頃は、視認生地が外側に露出した視認部１２１、１３１を少なくとも一部に備える。視認生地は、蛍光色であるメッシュの第１生地と、第１生地に重ねられて、蛍光色又は白色であるメッシュの第２生地と、を備え、身頃の視認生地は、外側に第１生地が配置されている。第１生地と第２生地は通気性が異なる。【選択図】図１
0003207686.tif 000002
【実用新案登録請求の範囲】
【請求項１】
視認生地が外側に露出した視認部を少なくとも一部に備える身頃を有し、
前記視認生地は、
蛍光色であるメッシュの第１生地と、
前記第１生地に重ねられて、蛍光色又は白色であるメッシュの第２生地と、を備え、
前記身頃の前記視認生地は、外側に前記第１生地が配置されたことを特徴とする衣服。
【請求項２】
前記第１生地と前記第２生地とは通気性が異なることを特徴とする請求項１に記載の衣服。
【請求項３】
前記第１生地と前記第２生地とはメッシュ孔の大きさが異なることを特徴とする請求項１又は２に記載の衣服。
【請求項４】
前記第１生地、及び、前記第２生地の一方はラッセル編みの生地であり、他方はクイーズ編みの生地であることを特徴とする請求項１乃至３のいずれか１項に記載の衣服。
【請求項５】
前記第２生地は、白色であり、全体に亘って蛍光増白剤が付着した生地であることを特徴とする請求項１乃至４のいずれか１項に記載の衣服。
【請求項６】
前記身頃は、更に、複数の孔が設けられて外側に露出した再帰性反射材を備える反射部を有することを特徴とする請求項１乃至５のいずれか１項に記載の衣服。
【請求項７】
前記身頃は、縁となる部分を除いた領域が、前記視認部、及び、前記反射部のいずれかであることを特徴とする請求項６に記載の衣服。
【考案の詳細な説明】
【技術分野】
【０００１】
本考案は、衣服に関する。
【背景技術】
【０００２】
特許文献１には、肩部から側方に延出するように設けられた布パーツを備える衣服が記載されている。この布パーツには反射材が付いている。
【先行技術文献】
【特許文献】
【０００３】
【特許文献１】実用新案登録第３１９５０７８号公報
【考案の概要】
【考案が解決しようとする課題】
【０００４】
特許文献１の衣服は、視認性は確保されるが、夏場等、気温が高いときは蒸してしまうことがあり、着心地の更なる向上が求められていた。
【０００５】
本考案は、視認性を確保しつつ、着心地を向上させることを目的とする。
【課題を解決するための手段】
【０００６】
本考案の衣服は、視認生地が外側に露出した視認部を少なくとも一部に備える身頃を有し、前記視認生地は、蛍光色であるメッシュの第１生地と、前記第１生地に重ねられて、蛍光色又は白色であるメッシュの第２生地と、を備え、前記身頃の前記視認生地は、外側に前記第１生地が配置されたことを特徴とする。
本考案の衣服の他の特徴とするところは、前記第１生地と前記第２生地とは通気性が異なる点にある。
本考案の衣服の他の特徴とするところは、前記第１生地と前記第２生地とはメッシュ孔の大きさが異なる点にある。
本考案の衣服の他の特徴とするところは、前記第１生地又は前記第２生地の一方はラッセル編みの生地であり、他方はクイーズ編みの生地である点にある。
本考案の衣服の他の特徴とするところは、前記第２生地は、白色であり、蛍光増白剤が付着した生地である点にある。
本考案の衣服の他の特徴とするところは、前記身頃は、更に、複数の孔が設けられて外側に露出した再帰性反射材を備える反射部を有する点にある。
本考案の衣服の他の特徴とするところは、前記身頃は、縁となる部分を除いた領域が、前記視認部、及び、前記反射部のいずれかである点にある。
【考案の効果】
【０００７】
本考案によれば、視認性を確保しつつ、着心地を向上させることができる。
【図面の簡単な説明】
【０００８】
【図１】衣服の全体構成の一例を示す図である。
【図２】視認生地の一例を示す図である。
【図３】第１視認部、及び、第１反射部の拡大図の一例である。
【考案を実施するための形態】
【０００９】
以下、図面を参照して、本考案の好適な実施形態について説明する。
［全体構成］
まず、図１を参照して、衣服１００の全体構成について説明する。図１（ａ）は、衣服１００の正面図である。図１（ｂ）は、衣服１００の背面図である。
衣服１００は、胴着の一種であるベストであって、高視認性安全服であり、身頃１１０と、肩パーツ１４０とを備える。
身頃１１０は、衣服１００を着た人の胴を覆う。身頃１１０は、衣服１００を着た人の前側を覆う前身頃１２０と、後ろ側（背中側）を覆う後身頃１３０とを備える。
前身頃１２０は、第１視認部１２１と、第１反射部１２２と、第１縁部１２３と、前開け部１２４とを備える。
【００１０】
第１視認部１２１は、視認生地が衣服１００の外側に露出した部分である。視認生地の詳細は後述する。
第１反射部１２２は、再帰性反射材が外側に露出した部分である。第１反射部１２２は、図１（ａ）に示すように、前開け部１２４を挟んで、胴回り方向の一方の端部から他方の端部まで伸びた形状である。また、第１反射部１２２は、前身頃１２０において、平行に２つ配置される。第１反射部１２２は、ここで説明した形状や配置に限定されるものではなく、例えば、縦方向等、他の方向に伸びた形状でもよい。また、第１反射部１２２は、前身頃１２０に１つ、又は、３つ以上配置されていてもよい。
第１縁部１２３は、前身頃１２０の首部分の縁となる部分であり、身頃１１０の縁となる部分である。第１縁部１２３には、前身頃１２０の外側（表側）から内側（裏側）に亘る生地が縫い付けられており、前身頃１２０のほつれが防がれ、更に、着心地の向上が図られている。
前開け部１２４は、前身頃１２０を、左右に分割する部分であり、身頃１１０の縁となる部分である。前開け部１２４は、ファスナー等の留め具を備え、前開け部１２４を開けたり閉じたりできる。
【００１１】
後身頃１３０は、第２視認部１３１と、第２反射部１３２と、第２縁部１３３とを備える。
第２視認部１３１は、視認生地が衣服１００の外側に露出した部分である。視認生地の詳細は後述する。
第２反射部１３２は、再帰性反射材が外側に露出した部分である。第２反射部１３２は、図１（ｂ）に示すように、胴回り方向の一方の端部から他方の端部まで伸びた形状である。また、第２反射部１３２は、後身頃１３０において、平行に２つ配置される。第２反射部１３２は、ここで説明した形状や配置に限定されるものではなく、例えば、縦方向等、他の方向に伸びた形状でもよい。また、第２反射部１３２は、後身頃１３０に１つ、又は、３つ以上配置されていてもよい。
第２縁部１３３は、後身頃１３０の首部分の縁となる部分であり、身頃１１０の縁となる部分である。第２縁部１３３には、後身頃１３０の外側（表側）から内側（裏側）に亘るように生地が縫い付けられており、後身頃１３０のほつれが防がれ、更に、着心地の向上が図られている。
【００１２】
肩パーツ１４０は、身頃１１０に接続され、人が衣服１００を着たときに肩の上部となる位置に設けられ、側方に延出した形状である。肩パーツ１４０として、右肩の上部となる位置に設けられる肩パーツ１４０と、左肩の上部となる位置に設けられる肩パーツ１４０とがある。
肩パーツ１４０は、第３視認部１４１と、第３反射部１４２と、不図示の裏地部とを備える。
第３視認部１４１は、視認生地が衣服１００の外側に露出した部分である。視認生地の詳細は後述する。
第３反射部１４２は、再帰性反射材が外側に露出した部分である。第３反射部１４２は、図１（ａ）、及び、図１（ｂ）に示すように、肩パーツ１４０の前側の端部から後ろ側の端部まで亘るように配置される。第３反射部１４２は、ここで説明した形状や配置に限定されるものではなく、他の方向に伸びた形状でもよい。また、第３反射部１４２は、肩パーツ１４０に複数配置されていてもよい。
肩パーツ１４０の裏地部は、第３視認部１４１、及び、第３反射部１４２の裏側に設けられる裏地である。裏地部には、第３視認部１４１、及び、第３反射部１４２と比べて硬い素材が用いられる。そして、裏地部によって、側方に延出した肩パーツ１４０の形状が維持される。裏地部として、メッシュの素材等が使われる。
【００１３】
［視認生地］
次に、図２を参照して、衣服１００に使われる視認生地１０について説明する。図２（ａ）は、視認生地１０の分解図である。図２（ｂ）は、第１生地２０の拡大図である。図２（ｃ）は、第２生地３０の拡大図である。
【００１４】
視認生地１０は、第１生地２０と、第２生地３０とを重ね合わせてレイヤー化された生地である。
第１生地２０は、蛍光色のメッシュの生地である。第１生地２０として、ラッセル編みの生地が使われる。第１生地２０は、図２（ｂ）に示すように、第１ベース部２１と、第１メッシュ孔２２とを備える。第１ベース部２１は、第１生地２０の糸や繊維の部分である。第１メッシュ孔２２は、第１ベース部２１で囲まれた領域であり、メッシュの生地の孔となる部分である。第１メッシュ孔２２は、ハチの巣状の形状であり、第１生地２０はハニカムメッシュになっている。
第２生地３０は、白色であり、蛍光晒し加工がされた生地である。また、第２生地３０は、メッシュの生地である。第２生地３０として、クイーズ編みの生地が使われる。第２生地３０は、蛍光晒し加工がされたものであるため、全体に亘ってほぼ均一に蛍光増白剤が付着している。蛍光晒し加工は、生地を蛍光増白剤に晒す工程を含む加工であり、生地を白色にする。第２生地３０は、図２（ｃ）に示すように、第２ベース部３１と、第２メッシュ孔３２とを備える。第２ベース部３１は、第２生地３０の糸や繊維の部分である。第２メッシュ孔３２は、第２ベース部３１で囲まれた領域であり、メッシュの生地の孔となる部分である。
【００１５】
第１生地２０と第２生地３０とは通気性が異なる。本実施形態では、第１生地２０の通気性は７３０［ｃｍ3／ｃｍ2・ｓ］である。第２生地３０の通気性は５１０［ｃｍ3／ｃｍ2・ｓ］である。したがって、第１生地２０の通気性は、第２生地３０の通気性より高い。第１生地２０と第２生地３０とが重ねあわされた視認生地１０の通気性は、３８０［ｃｍ3／ｃｍ2・ｓ］である。
ここで、一般的な生地の通気性は１０〜２０［ｃｍ3／ｃｍ2・ｓ］程度である。また、クールビズ対応といえる生地の通気性は５０［ｃｍ3／ｃｍ2・ｓ］程度である。視認生地１０は、これらの生地と比較すると、非常に高い通気性を備えることが分かる。
視認生地１０の通気性は、クールビズ対応といえる生地の通気性である５０［ｃｍ3／ｃｍ2・ｓ］より高いことが好ましい。また、視認生地１０の通気性は、１００［ｃｍ3／ｃｍ2・ｓ］より高いことがより好ましい。
ここで説明した通気性は、「ＪＩＳ  Ｌ  １０９６  織物及び編物の生地試験方法」に記載された方法で測定された値である。
また、第１生地２０と第２生地３０とはメッシュ孔の大きさが異なる。本実施形態では、第１生地２０の第１メッシュ孔２２は、第２生地３０の第２メッシュ孔３２より大きい。
【００１６】
第１視認部１２１、第２視認部１３１、及び、第３視認部１４１では、第１生地２０が衣服１００の外側になり、第２生地３０が衣服１００の内側になるように配置される。
また、前身頃１２０は、第１縁部１２３、及び、前開け部１２４のような縁となる部分を除いた領域が視認生地１０で構成される。そして、視認生地１０の外側に再帰性反射材が縫い付け等で取り付けられている。視認生地１０で構成された前身頃１２０の部分であって、再帰性反射材が取り付けられた部分が第１反射部１２２となる。したがって、第１反射部１２２の内側には視認生地１０が配置される。また、前身頃１２０の視認生地１０が外側に露出した部分が第１視認部１２１となる。
また、後身頃１３０は、第２縁部１３３のような縁となる部分を除いた領域が視認生地１０で構成される。そして、視認生地１０の外側に再帰性反射材が縫い付け等で取り付けられている。視認生地１０で構成された後身頃１３０の部分であって、再帰性反射材が取り付けられた部分が第２反射部１３２となる。したがって、第２反射部１２２の内側には視認生地１０が配置される。また、後身頃１３０の視認生地１０が外側に露出した部分が第２視認部１３１となる。
また、肩パーツ１４０は、縁となる部分を除いた領域が視認生地１０で構成される。そして、視認生地１０の外側に再帰性反射材が縫い付け等で取り付けられている。視認生地１０で構成された肩パーツ１４０の部分であって、再帰性反射材が取り付けられた部分が第３反射部１４２となる。したがって、第３反射部１４２の内側には視認生地１０が配置される。また、肩パーツ１４０の視認生地１０が外側に露出した部分が第３視認部１４１となる。
【００１７】
次に、図３を参照して、衣服１００の表面の状態について説明する。図３は、図１（ａ）における衣服１００の領域１の拡大図の一例である。領域１は、前身頃１２０における第１視認部１２１、及び、第１反射部１２２の境界を含む領域である。
第１視認部１２１では、視認生地１０の第１生地２０が第２生地３０より衣服１００の外側になるように配置されている。また、第１生地２０の第１メッシュ孔２２は第２生地３０の第１メッシュ孔３２より大きい。したがって、表面視において、第１メッシュ孔２２から、第２生地３０の第２ベース部３１、及び、第２メッシュ孔３２が見える。後身頃１３０、及び、肩パーツ１４０の視認部（第２視認部１３１、第３視認部１４１）の視認生地１０も同様である。
また、第１反射部１２２の再帰性反射材には複数の孔４０が設けられる。孔４０の大きさは、第１メッシュ孔２２より小さい。第２反射部１３２の再帰性反射材、及び、第３反射部１４２の再帰性反射材にも、同様に複数の孔が設けられる。
【００１８】
［効果］
以上説明したように、衣服１００は、第１視認部１２１、及び、第２視認部１３１を備える身頃１１０を有する。第１視認部１２１、及び、第２視認部１３１は、視認生地１０が衣服１００の外側に露出している。視認生地１０は、蛍光色であるメッシュの第１生地２０と、第１生地２０に重ねられて、白色であるメッシュの第２生地３０とを備える。身頃１１０の視認生地１０は、外側に第１生地２０が配置されている。
【００１９】
よって、衣服１００は高い通気性を備える。したがって、夏場等、気温が高いときであっても蒸してしまうことを抑制でき、着心地が向上する。
また、視認生地１０の第１生地２０は蛍光色であるため、第１生地２０の第１ベース部２１で反射した光によって高い視認性を確保できる。また、第１生地２０の第１メッシュ孔２２を通った光の一部は、第２生地３０の第２ベース部３１で反射する。第２ベース部３１は、白色である。よって、第２ベース部３１で反射した光が更に第１ベース部２１に反射したり、第２ベース部３１で反射した光が第１メッシュ孔２２を通過したりすることで、高い視認性を確保できる。
【００２０】
また、第１生地２０の第１メッシュ孔２２は、第２生地３０の第２メッシュ孔３２より大きい。よって、モアレが生じることを回避でき、上品な見た目を実現できる。更に、第１生地２０の第１ベース部２１で反射した光、第２ベース部３１で反射して第１メッシュ孔２２を通過した光、及び、第２ベース部３１で反射して、その後、更に第１ベース部２１で反射した光によって、明度の向上を実現できて、高い視認性を確保できる。
【００２１】
また、第２生地３０は、蛍光晒し加工がされており、全体的に蛍光増白剤が付着している。したがって、衣服１００は、明度が向上し、高い視認性を確保できる。
また、身頃１１０は、再帰性反射材を備える第１反射部１２２、及び、第２反射部１３２を備える。したがって、衣服１００は、薄暮のとき、及び、夜間にも、車両運転者等に対する高い視認性を備える。また、再帰性反射材には複数の孔４０が設けられている。したがって、第１反射部１２２においても通気性が確保されて、着心地が向上する。
【００２２】
また、身頃１１０は、縁となる部分を除いた領域が、第１視認部１２１、第２視認部１３１、第１反射部１２２、及び、第２反射部１３２のいずれかである。したがって、身頃１１０の全体に亘って通気性が高く、着心地が向上する。また、どの方向に対しても高い視認性を確保できる。
また、衣服１００は、肩パーツ１４０を備える。よって、衣服１００を着た人が、リュックサック等を背中に背負っていても、後方から肩パーツ１４０が見える。そして、肩パーツ１４０には、視認生地１０、及び、再帰性反射材が使われる。したがって、衣服１００を着た人が、リュックサック等を背中に背負っていても、視認性を確保できる。
【００２３】
［その他の実施形態］
上記の実施形態の衣服１００では、第１生地２０の通気性は、第２生地３０の通気性より高い。しかし、第２生地３０の通気性が第１生地２０の通気性より高くなるようにしてもよい。このとき、例えば、第１生地２０をクイーズ編みの生地とし、第２生地３０をラッセル編みの生地としてもよい。
この場合であっても、モアレが生じることを回避でき、上品な見た目を実現できる。また、高い視認性を確保できる。さらに、着心地が向上する。
【００２４】
また、第１生地２０、及び、第２生地３０には、クイーズ編みの生地、及び、ラッセル編みの生地以外の、特殊編地を用いてもよい。特殊編地とは、天竺、及び、鹿の子を除いた生地であって、特定の用途に使われる生地である。
【００２５】
また、上記の実施形態の衣服１００では、第１生地２０の第１メッシュ孔２２は、第２生地３０の第２メッシュ孔３２より大きい。しかし、第２生地３０の第２メッシュ孔３２を第１生地２０の第１メッシュ孔２２より大きくしてもよい。
この場合であっても、モアレが生じることを回避でき、上品な見た目を実現できる。また、高い視認性を確保できる。さらに、着心地が向上する。
【００２６】
また、前身頃１２０は第１視認部１２１を備えなくてもよい。この場合、後身頃１３０は、第２視認部１３１を備える。
また、後身頃１３０は、第２視認部１３１を備えなくてもよい。この場合、前身頃１２０は第１視認部１２１を備える。
また、前身頃１２０は、縁となる部分を除いた領域の一部、例えば、前身頃１２０の上部、又は、下部に第１視認部１２１を備えていてもよい。
また、後身頃１３０は、縁となる部分を除いた領域の一部、例えば、後身頃１３０の上部、又は、下部に第２視認部１３１を備えていてもよい。
また、前身頃１２０、後身頃１３０、及び、肩パーツ１４０の少なくとも１つは、反射部（第１反射部１２２、第２反射部１３２、第３反射部１４２）を備えなくてもよい。
これらのいずれの場合でも、衣服１００は、高い視認性を確保でき、着心地が向上する。
【００２７】
また、上記の実施形態の衣服１００はベストであったが、衣服１００は、ビブス、又は、ジャンパーを含むアウターウェア等のベスト以外の衣服であってもよい。
また、衣服１００は、肩パーツ１４０を備えなくてもよい。
【００２８】
また、上記の実施形態の第２生地３０は、蛍光晒し加工がされた白色の生地であるが、第２生地３０は、蛍光色の生地であってもよい。この場合であっても、衣服１００は、高い視認性を確保でき、着心地が向上する。
また、第２生地３０は、蛍光晒し加工がされていない白色の生地であってもよい。
【００２９】
また、上記実施形態の視認生地１０は、第１生地２０、及び、第２生地３０の２層の構成である。しかし、視認生地１０は３層以上の構成であってもよい。視認生地１０を構成する生地を、第１生地２０、第２生地３０、第３生地、…、第Ｎ生地（Ｎは３以上）とする。第３生地から第Ｎ生地までは、第２生地３０における第１生地２０の側とは反対側に重ねられた生地であり、蛍光色又は白色であってメッシュの生地である。
【００３０】
以上、本考案を実施形態と共に説明したが、上記実施形態は本考案を実施するにあたっての具体化の例を示したものに過ぎず、これらによって本考案の技術的範囲が限定的に解釈されてはならないものである。すなわち、本考案はその技術思想、又はその主要な特徴から逸脱することなく、様々な形で実施することができる。
【符号の説明】
【００３１】
１００  衣服、１１０  身頃、１２０  前身頃、１３０  後身頃、１４０  肩パーツ
【図１】
0003207686.tif 000003
【図２】
0003207686.tif 000004
【図３】
0003207686.tif 000005